【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
物体側より順に、負の屈折力の第１レンズ群、正の屈折力の第２レンズ群を有し、全体として正の屈折力を持ち、少なくとも１枚の負レンズを含む３枚以上のレンズを接合させた接合レンズを備えた光学系であって、
変倍比が２倍以上で、以下の条件式を満足するように構成されていることを特徴とする光学系。
｜Ｆco／Ｆci｜＜０．９５                                      ・・・（１）
０．０５＜Ｄco／Ｄci＜２０                                    ・・・（２）
ただし、Ｆco：前記接合レンズの最も物体側のレンズの焦点距離、
Ｆci：前記接合レンズの最も像面側のレンズの焦点距離、
Ｄco：前記接合レンズの最も物体側のレンズの光軸上の厚さ、
Ｄci：前記接合レンズの最も像面側のレンズの光軸上の厚さ、
である。
【請求項２】
物体側より順に、負の屈折力の第１レンズ群、正の屈折力の第２レンズ群を有し、全体として正の屈折力を持ち、少なくとも１枚の負レンズを含む３枚以上のレンズを接合させた接合レンズを備えた光学系であって、
変倍比が２倍以上で、以下の条件式を満足するように構成されていることを特徴とする光学系。
１０＜｜Ｒ1 ／ｒ1 ｜                                          ・・・（３）
ただし、ｒ1 : 前記接合レンズの最も物体側の面の曲率半径、
Ｒ1 : 前記接合レンズの最も物体側の接合面の曲率半径、
である。
【請求項３】
物体側より順に、負の屈折力の第１レンズ群、正の屈折力の第２レンズ群を有し、全体として正の屈折力を持ち、少なくとも１枚の負レンズを含む３枚以上のレンズを接合させた接合レンズを備えた光学系であって、
前記接合レンズが物体側に凸の形状であり、変倍比が２倍以上で、以下の条件式を満足するように構成されていることを特徴とする光学系。
０．７＜｜Ｒ2 ／ｒ2 ｜                                        ・・・（４）
ただし、ｒ2 : 前記接合レンズの最も像面側の面の曲率半径、
Ｒ2 : 前記接合レンズの最も像面側の接合面の曲率半径、
である。
【請求項４】
光軸上に接合面を持つ接合レンズを備えた光学系であって、前記接合レンズを構成するレンズが以下の条件を満足することを特徴とする光学系。
４０＜νmax −νmin ＜８０                                    ・・・（５）
２３．７＞νmin                                               ・・・（６) 
ただし、νmax ：前記接合レンズ中で最大のアッベ数、
νmin ：前記接合レンズ中で最小のアッベ数、
である。
【請求項５】
光軸上に接合面を持つ接合レンズを備えた光学系であって、前記接合レンズを構成するレンズが以下の条件を満足することを特徴とする光学系。
４０＜νmax −νmin ＜８０                                    ・・・（５）
２３．７＞νmin                                               ・・・（６) 
６０＜νmax                                                   ・・・（７) 
１．８＜ｎdmax                                                ・・・（８) 
１．５５＞ｎdmin                                              ・・・（９) 
ただし、νmax ：前記接合レンズ中で最大のアッベ数、
νmin ：前記接合レンズ中で最小のアッベ数、
ｎdmax：前記接合レンズ中で最大の屈折率、
ｎdmin：前記接合レンズ中で最小の屈折率、
である。
【請求項６】
前記光学系は負の屈折力のレンズ群と正の屈折力のレンズ群の２群を有することを特徴とする請求項４又は５記載の光学系。
【請求項７】
前記接合レンズにおける光線の入射側及び射出側である空気接触面の少なくとも１面が非球面であることを特徴とする請求項１から６の何れか１項記載の光学系。
【請求項８】
前記接合レンズは３枚のレンズにて構成されていることを特徴とする請求項１から７の何れか１項記載の光学系。
【請求項９】
前記第２レンズ群は、物体側から、正の第１レンズ、負の第２レンズ、正の第３レンズを配列してなる３枚接合レンズを含むことを特徴とする請求項１から８の何れか１項記載の光学系。
【請求項１０】
前記第２レンズ群は、３枚接合レンズのみで構成されていることを特徴とする請求項１から９の何れか１項記載の光学系。
【請求項１１】
前記光学系において１群のレンズを移動させることでフォーカスを行うことを特徴とする請求項１から１０の何れか１項記載の光学系。
【請求項１２】
広角端から望遠端への変倍時に、前記第２レンズ群は、像面側から物体側へと単調に移動し、前記第１レンズ群は、像面側に凸形状の軌跡で移動することを特徴とする請求項１から１１の何れか１項記載の光学系。
【請求項１３】
以下の条件式を満足するように構成されていることを特徴とする請求項１から３の何れか１項記載の光学系。
４０＜νmax −νmin ＜８０                                    ・・・（５）
ただし、νmax ：前記接合レンズ中で最大のアッベ数、
νmin ：前記接合レンズ中で最小のアッベ数、
である。
【請求項１４】
３枚接合を構成する最も物体側のレンズと最も像面側のレンズは同一の硝材からなることを特徴とする請求項１から１２の何れか１項記載の光学系。
【請求項１５】
前記接合レンズが物体側に凸形状であり、以下の条件式をさらに満足することを特徴とする請求項１から３、６から１４の何れか１項に記載の光学系。
０．５０＜Ｄn1／Σｄ＜０．９５                              ・・・（１０）
ただし、Ｄn1：前記接合レンズ中の最も物体側の面から最も大きい負の屈折力を有する面までの距離、
Σｄ：前記接合レンズの総肉厚、
である。
【請求項１６】
以下の条件式をさらに満足することを特徴とする請求項１５記載の光学系。
０．０５＜Ｄn2／Σｄ＜０．３５                              ・・・（１１）
ただし、Ｄn2：前記接合レンズ中の最も大きい負の屈折力を有する面から最も像面側の面までの距離、
である。
【請求項１７】
前記接合レンズは物体側に凸形状であり、以下の条件式をさらに満足することを特徴とする請求項１から３、６から１６の何れか１項に記載の光学系。
−１．５＜（ｒ1 ＋ｒ2 ）／（ｒ1 −ｒ2 ）＜−０．５          ・・・（１２）
ただし、ｒ1 : 前記接合レンズの最も物体側の面の曲率半径、
ｒ2 : 前記接合レンズの最も像面側の面の曲率半径、
である。
【請求項１８】
前記接合レンズが物体側に凸形状であり、前記負レンズは最物体側のレンズの像面側に接合され、以下の条件式をさらに満足することを特徴とする請求項１から３、６から１７の何れか１項に記載の光学系。
−１．０＜Ｒ1 ／Ｆ2 ＜−０．０５                            ・・・（１３）
０．５０＜Ｄ1 ／Σｄ＜０．９５                              ・・・（１４）
ただし、Ｒ1 : 前記接合レンズの最も物体側の接合面の曲率半径、
Ｆ2 : 前記第２レンズ群の焦点距離、
Ｄ1 ：前記接合レンズの最も物体側のレンズの光軸上の厚さ、
Σｄ：前記接合レンズの総肉厚、
である。
【請求項１９】
前記接合レンズが物体側に凸形状であり、前記負レンズは接合レンズの最も像面側に配置されているレンズに接合され、以下の条件式をさらに満足することを特徴とする請求項１から３、６から１７の何れか１項に記載の光学系。
２．５＜｜Ｒ1 ／Ｆ2 ｜                                      ・・・（１５）
０．４５＜Ｒ2 ／Ｆ2 ＜２．３                                ・・・（１６）
ただし、Ｒ1 : 前記接合レンズの最も物体側の接合面の曲率半径、
Ｆ2 : 前記第２レンズ群の焦点距離、
Ｒ2 : 前記接合レンズの最も像面側の接合面の曲率半径、
である。
【請求項２０】
以下の条件式を満足することを特徴とする請求項１９記載の光学系。
−１．５＜（ｒ1 ＋ｒ2 ）／（ｒ1 −ｒ2 ）＜−０．５          ・・・（１２）
０．０５＜Ｄ3 ／Σｄ＜０．３０                              ・・・（１７）
ただし、ｒ1 : 前記接合レンズの最も物体側の面の曲率半径、
ｒ2 : 前記接合レンズの最も像面側の面の曲率半径、
Ｄ3 ：前記接合レンズの最も像面側のレンズの光軸上の厚さ、
Σｄ：前記接合レンズの総肉厚、
である。
【請求項２１】
以下の条件式をさらに満足することを特徴とする請求項１から３、６から２０の何れか１項に記載の光学系。
４０＜νmax −νmin ＜８０                                    ・・・（５）
２３．７＞νmin                                               ・・・（６) 
ただし、νmax ：前記接合レンズ中で最大のアッベ数、
νmin ：前記接合レンズ中で最小のアッベ数、
である。
【請求項２２】
以下の条件式をさらに満足することを特徴とする請求項２１記載の光学系。
６０＜νmax                                                   ・・・（７) 
１．８＜ｎdmax                                                ・・・（８) 
１．５５＞ｎdmin                                              ・・・（９) 
ただし、νmax ：前記接合レンズ中で最大のアッベ数、
ｎdmax：前記接合レンズ中で最大の屈折率、
ｎdmin：前記接合レンズ中で最小の屈折率、
である。
【請求項２３】
前記接合レンズが正レンズ及び負レンズを少なくとも１枚ずつ有することを特徴とする請求項４又５記載の光学系。
【請求項２４】
前記接合レンズが光軸近傍において両凸形状を有することを特徴とする請求項１から２３の何れか１項に記載の光学系。
【請求項２５】
前記射出側の非球面は、レンズ周辺部で発散作用が強くなるように設けられていることを特徴とする請求項７から２４の何れか１項に記載の光学系。
【請求項２６】
前記光学系は、全体で２つのレンズ群からなることを特徴とする請求項１から２５の何れか１項に記載の光学系。
【請求項２７】
前記光学系は、全体で３つのレンズ群からなることを特徴とする請求項１から２５の何れか１項に記載の光学系。
【請求項２８】
前記３つのレンズ群の中、最も像側に配置されているレンズ群は、負の屈折力を有することを特徴とする請求項２７記載の光学系。
【請求項２９】
前記３つのレンズ群の中、最も像側に配置されているレンズ群は、正の屈折力を有することを特徴とする請求項２８記載の光学系。
【請求項３０】
前記３つのレンズ群の中、最も像側に配置されているレンズ群は、変倍時に固定であることを特徴とする請求項２７から２９の何れか１項記載の光学系。
【請求項３１】
前記３つのレンズ群の中、最も像側に配置されているレンズ群は、変倍時に移動することを特徴とする請求項２７から２９の何れか１項記載の光学系。
【請求項３２】
前記最も像側に配置されているレンズ群は、広角端よりも望遠端において像側に位置するように移動することを特徴とする請求項３１記載の光学系。
【請求項３３】
前記接合レンズは、前記第２レンズ群に含まれることを特徴とする請求項１から３、６から３２の何れか１項記載の光学系。
【請求項３４】
請求項１から２３の何れか１項記載の光学系を備え、さらに、前記光学系による光学像を電気信号に変換するための電子撮像素子を備えていることを特徴とする撮像装置。